(57)【要約】【課題】コスト性に優れた板状吸音部材を提供すること。【解決手段】排気風路部分２４０は、原料空気を圧縮するコンプレッサと、圧縮された原料空気から高濃度酸素を分離して放出する吸着塔と、コンプレッサを冷却する冷却用空気を循環させる冷却用ファンと、を有する酸素濃縮器において使用される通気構造体であって、冷却用空気を内部に通過させ、冷却用空気が接触する部分の少なくとも一部として、高分子繊維から成る母材層と高分子フィルムの膜層とから成る板状吸音部材２４４を有する。【選択図】図６
2010120830.tif 000002
【特許請求の範囲】
【請求項１】
気体を内部に通過させる通気構造体であって、
前記気体が接触する部分の少なくとも一部として、高分子繊維から成る母材層と高分子フィルムの膜層とから成る板状吸音部材を有する、
通気構造体。
【請求項２】
前記気体が通過する風路を形成する構造体本体を有し、
前記板状吸音部材は、前記風路の内面のうち前記気体が通過しない側の内面との間に空間を形成する、
請求項１記載の通気構造体。
【請求項３】
前記構造体本体は、曲面を有し、
前記空間は、前記構造体本体の曲面を利用して形成される、
請求項２記載の通気構造体。
【請求項４】
前記板状吸音部材は、前記気体が通過する風路を形成する立体形状を有する、
請求項１記載の通気構造体。
【請求項５】
筐体を有し、
前記板状吸音部材は、前記風路の内面のうち前記気体が通過しない側と前記筐体との間に空間を形成する、
請求項４記載の通気構造体。
【請求項６】
前記空間は、閉じられた空間である、
請求項２または請求項５記載の通気構造体。
【請求項７】
前記風路は、音源に接する空間に連続する、
請求項２または請求項５記載の通気構造体。
【請求項８】
前記音源は、原料空気から高濃度酸素を分離して放出する酸素濃縮器の内部に配置される装置である、
請求項７記載の通気構造体。
【請求項９】
前記膜層は、前記母材層の前記気体が通過する側の面に配置されている、
請求項１記載の通気構造体。
【請求項１０】
前記板状吸音部材は、前記風路の内面のうち前記気体が通過する側の内面に突起を有する、
請求項１記載の通気構造体。
【請求項１１】
前記風路は、滑らかに屈曲している、
請求項２または請求項５記載の通気構造体。
【請求項１２】
原料空気を圧縮するコンプレッサと、圧縮された前記原料空気から高濃度酸素を分離して放出する吸着塔と、前記コンプレッサを冷却する冷却用空気を循環させる冷却用ファンと、を有する酸素濃縮器において使用される通気構造体であって、
前記冷却用空気を内部に通過させ、前記冷却用空気が接触する部分の少なくとも一部として、高分子繊維から成る母材層と高分子フィルムの層とから成る板状吸音部材を有する、
通気構造体。
【発明の詳細な説明】
【技術分野】
【０００１】
本発明は、内部に気体を通過させる通気構造体に係り、例えば医療機器および電子機器等の内部に気体を通過させる各種機器において使用される通気構造体に関する。
【背景技術】
【０００２】
従来、医療機器をはじめとする各種機器の分野において、動作音を低減させるための様々な対策が行われている。例えば、呼吸器疾患の患者が在宅で酸素を吸入する在宅酸素療法（ＨＯＴ：home oxygen therapy）において使用される吸着型酸素濃縮器（ＰＳＡ：pressure swing adsorption、以下「酸素濃縮器」という）も、そのような機器の１つである。
【０００３】
酸素濃縮器は、加圧空気に対して窒素を吸着し減圧空気に対して窒素を脱着する性質を持つ吸着剤（例えば、ゼオライト）が充填された、シーブベッド（吸着塔）を備えている。酸素濃縮器は、フィルタおよび吸気タンクを通して取込んだ室内の空気をコンプレッサにより圧縮し、この圧縮空気を加減圧の切替えを繰り返しながらシーブベッドに通過させることにより、圧縮空気から高濃度の酸素を分離する。そして、酸素濃縮器は、分離した高濃度酸素を、チューブを通して患者に供給する。
【０００４】
コンプレッサからは熱が発生するため、酸素濃縮器は、外部空気を機器内部に取り込んで循環させることにより、コンプレッサを冷却する。このとき、酸素濃縮器の外部には、コンプレッサの冷却用空気の吸気口や排気口から、コンプレッサの動作音および冷却用空気を循環させるための冷却用ファンの動作音（以下、適宜「動作音」と総称する）が漏洩する。
【０００５】
一方で、酸素濃縮器は、より確実かつ安全に高濃度酸素を患者に供給するために、患者のできるだけ近くに配置されることが望ましい。また、酸素濃縮器は、患者の就寝中も継続して使用される場合がある。したがって、酸素濃縮器は、至近距離で動作していても患者の安眠を妨げない程度の静音性が求められる。
【０００６】
そこで、冷却用空気を介して漏洩する動作音を低減する技術が、例えば特許文献１に記載されている。
【０００７】
特許文献１記載の酸素濃縮器は、複数の吸音部材を垂直に配置することによって冷却用空気を直角に蛇行させながら通過させる風路を有する。吸音部材は、具体的には、多孔質の吸音材と多数の中空部を有するハニカム構造を複合させた平面の板状部材である。冷却用空気を伝播する音は、風路において吸音部材に衝突し、吸音部材の内部の粘性抵抗によって熱に変換され、吸収される。これにより、外部に漏洩する動作音を低減することができる。
【特許文献１】特開平８−１１９６０６号公報
【発明の開示】
【発明が解決しようとする課題】
【０００８】
しかしながら、特許文献１記載の風路を備えた通気構造体は、構成が複雑であり、コスト高を招くおそれがあるという問題がある。なぜなら、発泡ウレタン等から成る多孔質の吸音材と、アルミニウム箔等により形成されたハニカム構造体とをそれぞれ製作し、更に、これらを貼り合わせなければならないからである。
【０００９】
本発明は、かかる点に鑑みてなされたものであり、より簡単な構成で通過気体に対する吸音を行う通気構造体を提供することを目的とする。
【課題を解決するための手段】
【００１０】
本発明の通気構造体は、気体を内部に通過させる通気構造体であって、前記気体が接触する部分の少なくとも一部として、高分子繊維から成る母材層と高分子フィルムの膜層とから成る板状吸音部材を有する。
【００１１】
本発明の通気構造体は、原料空気を圧縮するコンプレッサと、圧縮された前記原料空気から高濃度酸素を分離して放出する吸着塔と、前記コンプレッサを冷却する冷却用空気を循環させる冷却用ファンと、を有する酸素濃縮器において使用される通気構造体であって、前記冷却用空気を内部に通過させ、前記冷却用空気が接触する部分の少なくとも一部として、高分子繊維から成る母材層と高分子フィルムの膜層とから成る板状吸音部材を有する。
【発明の効果】
【００１２】
本発明によれば、高分子繊維から成る母材層と高分子フィルムの膜層とから成る板状吸音部材という、吸音性が高くかつ製作および成型が容易な吸音部材を用いるので、より簡単な構成で通過気体に対する吸音を行うことができる。
【発明を実施するための最良の形態】
【００１３】
以下、本発明の一実施の形態について、図面を参照して詳細に説明する。本実施の形態は、本発明を酸素濃縮器に適用した例である。
【００１４】
図１は、本実施の形態に係る通気構造体が用いられる酸素濃縮器の構成を示す概略図である。
【００１５】
図１において、酸素濃縮器１０は、酸素濃縮器筐体（以下適宜「筐体」と略記する）１００の内部に、風路ケース１０１、ヘパフィルタ１０２、吸気タンク１０３、コンプレッサ１０４、冷却パイプ１０５、冷却用ファン１０７、マニホールド１０８、第１および第２の切替弁１０９ａ、１０９ｂ、第１および第２のシーブベッド（吸着塔）１１０、１１１、製品タンク１１２、均圧弁１１３、パージオリフィス１１４、消音器１１５、圧力センサ１１６、レギュレータ１１７、止め弁１１８、酸素センサ１１９、バクテリアフィルタ１２０、流量制限オリフィス１２１、圧力センサ１２２、流量センサ１２３、加湿器１２４、および酸素出口１２５を配置している。
【００１６】
風路ケース１０１は、筐体１００に接して設けられており、筐体１００の外部の空気を、原料空気として筐体１００の内部に導入する。ヘパフィルタ１０２は、風路ケース１０１が導入した空気からゴミや埃等の空中浮遊粒子を除去する。
【００１７】
吸気タンク１０３は、ヘパフィルタ１０２で空中浮遊粒子が除去された原料空気を、後段のコンプレッサ１０４の吸気のために収容する。吸気タンク１０３は、いわゆる膨張型消音器として機能し、配管断面積の変化による反射により、原料空気の吸気側へと伝達するコンプレッサ１０４の動作音に対して、消音効果を発揮する。
【００１８】
コンプレッサ１０４は、吸気タンク１０３に収容された原料空気を圧縮して圧縮空気を生成する。冷却パイプ１０５は、コンプレッサ１０４で生成された圧縮空気をマニホールド１０８に送る。
【００１９】
冷却用ファン１０７は、筐体１００に設けられた開口から外気を筐体１００内部に吸引し、筐体１００に上記開口とは別に設けられた開口から排気する。冷却用ファン１０７により筐体１００内部に吸引された外気は、筐体１００内部を、コンプレッサ１０４を含む各種部品の熱を吸収しながら循環し、排気される。
【００２０】
マニホールド１０８は、コンプレッサ１０４からの圧縮空気を第１および第２のシーブベッド１１０、１１１に交互に切り替えて送り、第１および第２のシーブベッド１１０、１１１からの窒素富化空気を交互に切り替えて消音器１１５に送るための多岐管である。マニホールド１０８は、三方弁である第１および第２の切替弁１０９ａ、１０９ｂを有する。マニホールド１０８は、第１および第２の切替弁１０９ａ、１０９ｂの状態を制御することにより、例えば１０秒間隔で、圧縮空気および窒素富化空気のマニホールド１０８内の流路の切替えを行う。
【００２１】
具体的には、例えば、マニホールド１０８は、図１に示すように、第１の切替弁１０９ａを用いて、第１のシーブベッド１１０とコンプレッサ１０４との間の管路を開放し、第１のシーブベッド１１０と消音器１１５との間の管路を閉鎖する。同時に、マニホールド１０８は、第２の切替弁１０９ｂを用いて、第２のシーブベッド１１１とコンプレッサ１０４との間の管路を閉鎖し、第２のシーブベッド１１１と消音器１１５との間の管路を開放する。この場合、コンプレッサ１０４からの圧縮空気は矢印１０８Ａの方向で第１のシーブベッド１１０に送られ、消音器１１５には矢印１０８Ｂの方向で第２のシーブベッド１１１からの窒素富化空気が送られる。
【００２２】
また、マニホールド１０８は、第１の切替弁１０９ａを用いて、第１のシーブベッド１１０とコンプレッサ１０４との間の管路を閉鎖し、第１のシーブベッド１１０と消音器１１５との間の管路を開放する。同時に、マニホールド１０８は、第２の切替弁１０９ｂを用いて、第２のシーブベッド１１１とコンプレッサ１０４との間の管路を開放し、第２のシーブベッド１１１と消音器１１５との間の管路を閉鎖する。この場合、コンプレッサ１０４からの圧縮空気は第２のシーブベッド１１１に送られ、消音器１１５には第１のシーブベッド１１０からの窒素富化空気が送られる。
【００２３】
第１および第２のシーブベッド１１０、１１１は、マニホールド１０８を介して送られてきた圧縮空気から、高濃度酸素をそれぞれ分離する。この分離は、第１および第２のシーブベッド１１０、１１１に充填されたゼオライトの働きにより実現される。ゼオライトは、加圧空気に対しては窒素および水分を吸着し、減圧空気に対しては吸着している窒素および水分を脱着する性質を有する吸着剤である。第１および第２のシーブベッド１１０、１１１は、コンプレッサ１０４と通じているとき、コンプレッサ１０４から送られてきた圧縮空気から高濃度酸素を分離して後段の製品タンク１１２に送る。そして、第１および第２のシーブベッド１１０、１１１は、消音器１１５と通じているとき、圧縮空気から吸着した窒素および水分を多く含む窒素富化空気を消音器１１５に送る。
【００２４】
第１および第２のシーブベッド１１０、１１１から放出される高濃度酸素の酸素濃度は、吸脱着の繰り返し回数や吸脱着時間等を変更することにより、例えば４０％〜９０％程度の範囲で調整することができる。なお、ゼオライトは窒素のみならず水分をも吸着するので、第１および第２のシーブベッド１１０、１１１から放出される高濃度酸素は極めて乾燥している（例えば、湿度０.１％〜０.２％）。第１および第２のシーブベッド１１０、１１１に充填されるゼオライトは、結晶中に微細孔を持つアルミノ珪酸塩（例えば、アルカリ土類金属を含む結晶性含水アルミノ珪酸塩）からなる多孔質材料であり、市販されている各種のゼオライトを使用することができる。
【００２５】
製品タンク１１２は、第１および第２のシーブベッド１１０、１１１に、マニホールド１０８が接続する側とは反対側の部分で接続されており、第１および第２のシーブベッド１１０、１１１により圧縮空気から分離して得られた高濃度酸素を収容する。製品タンク１１２は、例えば、一端が第１のシーブベッド１１０に、他端がシーブベッド１１１にそれぞれ連結された、コの字形状を有している。均圧弁１１３は、製品タンク１１２の両端部分の圧力をこれらが同一となるように調整する。パージオリフィス１１４は、第１および第２のシーブベッド１１０、１１１の脱着の際の二次浄化を行うために、製品タンク１１２の両端部分の間で高濃度酸素を通過させる。
【００２６】
消音器１１５は、筐体１００に接して設けられた排気口１１５ａを有しており、第１および第２のシーブベッド１１０、１１１からマニホールド１０８を介して送られてきた窒素富化空気を、排気口１１５ａから筐体１００の外部に排出する。
【００２７】
圧力センサ１１６は、製品タンク１１２からレギュレータ１１７に送られる高濃度酸素の圧力を検出する。レギュレータ１１７は、圧力センサ１１６の検出結果と予め設定された圧力とを比較してこれらが同一の値となるように、高濃度酸素の圧力のフィードバック制御を行う。
【００２８】
止め弁１１８は、閉鎖することにより、レギュレータ１１７から圧力調整されて送られる高濃度酸素の流れを止める。止め弁１１８は、例えば、高濃度酸素の供給を停止する操作が行われたとき、あるいは酸素濃縮器１０への電源供給が停止されたときに閉鎖して、機器内に残留した高濃度酸素の流出を止める。
【００２９】
酸素センサ１１９は、止め弁１１８からバクテリアフィルタ１２０に送られる高濃度酸素の酸素濃度を検出する。バクテリアフィルタ１２０は、細菌類を捕集することにより、流路を流れる高濃度酸素を除菌する。流量制限オリフィス１２１は、バクテリアフィルタ１２０を通って送られる高濃度酸素の流路を絞ることにより、高濃度酸素の流量を制限する。流量制限オリフィス１２１の絞り具合は、筐体１００に設けられた、例えばボタンやつまみを有する操作部（図示せず）の操作内容と連動して調整される。
【００３０】
圧力センサ１２２は、流量制限オリフィス１２１から流量センサ１２３に送られる高濃度酸素の圧力を検出する。流量センサ１２３は、流量制限オリフィス１２１を通って送られる高濃度酸素の流量を検出する。圧力センサ１２２で検出された高濃度酸素の圧力および流量センサ１２３で検出された高濃度酸素の流量を継続的にメモリ（図示せず）に記憶することによって、予めなされた設定の通りに高濃度酸素が処理されているか否かをモニタリングすることができる。
【００３１】
加湿器１２４は、流量センサ１２３を通って送られた高濃度酸素を加湿する。酸素出口１２５は、加湿器１２４で湿度が与えられた高濃度酸素を、患者に供給するために排気する。酸素出口１２５には、一端に酸素マスクや鼻腔カニューラが接続されたチューブ（図示せず）が取付けられ、このチューブを通じて高濃度酸素が患者に供給される。
【００３２】
また、酸素濃縮器１０は、ＣＰＵ（central processing unit）、制御プログラムを格納した記憶媒体としてのＲＯＭ（read only memory）、および作業用メモリとしてのＲＡＭ（random access memory）等を有する。ＣＰＵは、制御プログラムを実行することにより、コンプレッサ１０４やマニホールド１０８を含めた各部の動作を制御する。
【００３３】
このような酸素濃縮器１０によれば、高濃度酸素を患者に供給することができる。
【００３４】
酸素濃縮器１０は、上述の通り、静音性が求められる一方で、コンプレッサの冷却用空気の吸気口や排気口から動作音が漏洩するという問題を有する。
【００３５】
そこで、本実施の形態の酸素濃縮器１０は、本発明に係る通気構造体を配置し、コンプレッサ１０４の冷却用空気をこの通気構造体の内部を通過させることによって、動作音に対する吸音を行い、酸素濃縮器１０の静音化を図る。具体的には、コンプレッサ１０４を覆うコンプレッサケースの一部および近傍に、本発明に係る通気構造体を配置する。
【００３６】
図２は、コンプレッサケース周辺部の構成を示す斜視図である。
【００３７】
図２に示すように、コンプレッサケース２００は、コンプレッサ１０４を覆う筐体であり、主に板金により構成される。コンプレッサケース２００は、本体部分２１０と、吸気口部分２２０と、本発明に係る通気構造体の一例である給気風路部分２３０とに大別される。また、コンプレッサケース２００の下部には、本発明に係る通気構造体の他の例である排気風路部分２４０が配置される。
【００３８】
本体部分２１０は、コンプレッサ１０４に被せられる形でコンプレッサ１０４および冷却パイプ１０５を覆う筐体である。本体部分２１０内部の、コンプレッサ１０４の下部には、冷却用ファン１０７が配置されている。冷却用ファン１０７の吸込側は、本体部分２１０の内部空間に開放されている。
【００３９】
吸気口部分２２０は、コンプレッサ１０４に導入される原料空気を収容する筐体である。
【００４０】
給気風路部分２３０は、コンプレッサ１０４の冷却用空気を本体部分２１０の内部に導入するための風路を内部に有する。給気風路部分２３０の風路は、立体形状を有する板状吸音部材により形成されており、通過する冷却用空気に対して吸音効果を発揮する。
【００４１】
排気風路部分２４０は、本体部分２１０内部の冷却用ファン１０７の吹出側に接続され、コンプレッサ１０４を冷却するための空気を本体部分２１０の内部から排出するための風路を内部に有する。排気風路部分２４０の風路は、内面に板状吸音部材を有し、通過する冷却用空気に対して吸音効果を発揮する。
【００４２】
以下、給気風路部分２３０および排気風路部分２４０の構成について説明する。まず、給気風路部分２３０の構成について説明する。
【００４３】
給気風路部分２３０は、主に、板金等からなる筐体と、この筐体の内部に配置された、後述の立体形状の板状吸音部材とに、大きく分かれる。冷却用空気が通過する風路は、実質的に、板状吸音部材によって形成される。ここでは、吸気風路部分２３０の板状吸音部材２３１を覆う筐体は、コンプレッサケース２００の本体部分２１０と一体となっているものとする。
【００４４】
図３〜図５は、給気風路部分２３０本実施の形態に係る風路部分の構成を示す斜視図である。図３では、コンプレッサケース２００を併せて図示する。また、図４および図５では、外側の筐体（コンプレッサケース２００）を除去した状態を示す。図５では、図３および図４示す板状吸音部材２３１を上下に裏返した状態を示す。
【００４５】
図４および図５において、給気風路部分２３０は、立体形状の板状吸音部材２３１に、本体部分２１０内部の冷却用空気を導入するための給気路２３２を有する。具体的には、板状吸音部材２３１は、その立体形状により、筐体底面との間の空間を仕切る構造となっており、給気路２３２は、仕切られた空間の１つである。
【００４６】
給気路２３２は、滑らかに屈曲しており、一端に酸素濃縮器１０の外部空気と通じる開口部２３３を有し、他端に本体部分２１０と通じる開口部（筐体に配置されているため、図示せず）を有する。
【００４７】
板状吸音部材２３１は、所定の通音性能および吸音性能を有する板状部材を加工した平面の板状吸音部材を、真空成型または熱加圧成型により立体成型したものである。具体的には、板状吸音部材２３１は、母材層と膜層とから成る二層構造を有する。
【００４８】
母材層は、細かい空気の隙間を有する多孔質素材から成る板状部材であり、高分子繊維、例えばポリエステル繊維から成る。母材層は、繊維の隙間にある空気の粘性抵抗により、所定の周波数の音のエネルギーを熱に変換し、その音を吸収する。なお、高分子繊維を採用する場合には、繊維の配向は、縦方向、横方向、ランダム配向のいずれでもよい。また、母材層の素材は、高分子繊維を不織布としたものや高分子繊維の不織布を圧縮成型したものでもよく、また、スポンジ状のウレタン素材等、他の多孔質素材を採用してもよい。ここでは、母材層は、ポリエステル繊維の不織布を圧縮成型したものとする。
【００４９】
膜層は、所定の通音性能および吸音性能を有するとともに、母材層の吸音性能に影響を与えない高分子フィルムである。
【００５０】
膜層および母材層から成る複合構造体と背面空気層（ここでは筐体との間の空間）とから成る共振系、並びに複合構造体の多質点系の共振により、所定の周波数の音、特に低周波音に対し、吸音が行なわれる。
【００５１】
膜層は、母材層の冷却用空気が通過する側、母材層の背面空気層側、母材層の内部のいずれに配置されていてもよいが、冷却用空気が通過する側（ここでは下側）に配置することにより、母材層が冷却用空気と直接に接触するのを防ぐことができ、酸素濃縮器１０の耐久性および安全性を向上させることができる。また、板状吸音部材２３１の表面抵抗を低減することができるので、冷却用空気の流れへの影響を抑えることができ、冷却用空気の圧力損失を抑えることができる。したがって、小さい能力の冷却用ファン１０７を採用することができ、冷却用ファン１０７の動作音を抑えることができる。ここでは、膜層は、母材層の冷却用空気が通過する側の面に熱融着された高分子フィルムであるものとする。
【００５２】
このような給気風路部分２３０の吸音性能は、背面空気層の厚さによって異なってくる。したがって、背面空気層の厚さ、すなわち、板状吸音部材２３１と外側の筐体の内面との距離を、設計値通りとなるようにすることは重要である。したがって、例えば、図４および図５に示すように、板状吸音部材２３１に、筐体の内面に当接する形状であって、所望の背面空気層の厚さに等しい幅の縁部２３４を設けることが望ましい。これにより、背面空気層を所望の厚さに容易に設定することができる。
【００５３】
なお、板状吸音部材を通過して背面空気層に進入した音の大部分は、筐体の内面で反射して再び板状吸音部材に戻る。これにより、音の反射面である筐体の内面からλ／４の距離で空気の振動がピークとなる。したがって、背面空気層の厚さに母材層の厚さの１／２を足した長さの４倍の波長の付近の音およびこの音の整数倍の周波数の音に対する吸音率を向上させることができる。
【００５４】
このような構成の給気風路部分２３０によれば、冷却用空気を伝播する動作音と、冷却用空気自体の流体騒音とを低減することができる。
【００５５】
また、母材層は、高分子繊維を圧縮したものであるため、給気風路部分２３０として用いるのに適度な硬さを備えることができる。
【００５６】
次に、排気風路部分２４０の構成について説明する。
【００５７】
排気風路部分２４０は、本体部分２１０の底面にあたる平面板と、この平面板の下面側に密着して配置される構造体本体とに、大きく分かれる。冷却用空気が通過する風路は、実質的に、構造体本体によって形成される。
【００５８】
図６は、排気風路部分２４０の構成を示す斜視図である。また、図７は、排気風路部分２４０を上方から見た平面図である。いずれも、平面板を除去した状態を図示する。
【００５９】
図６および図７において、排気風路部分２４０は、構造体本体２４１に、本体部分２１０内部の冷却用空気を排出するための排気路２４２を有する。排気路２４２は、滑らかに屈曲しており、一端に本体部分２１０に配置された冷却用ファン１０７の吹出側と通じる開口部（平面板に配置されているため、図示せず）を有し、他端に酸素濃縮器１０の外部空気と通じる開口部２４３を有する。排気路２４２の下側面には、板状吸音部材２４４が固定されている。
【００６０】
図８は、排気風路部分２４０のうち板状吸音部材２４４が配置されている部分の断面を示す斜視断面図である。また、図９および図１０は、板状吸音部材２４４の他の例の構成を示す斜視図である。
【００６１】
図８に示すように、排気路２４２は、構造体本体２４１の立体形状によって形成されている。具体的には、構造体本体２４１には、平面板との間の空間を仕切る複数の仕切板２４５が設けられており、排気路２４２は、この仕切板２４５によって仕切られた空間の１つである。構造体本体２４１は、例えば、プラスチック樹脂を射出成型したものである。
【００６２】
構造体本体２４１の下側面は、強度確保のために設けられたリブ形状により、複数の窪み２４６を有している。そして、図８〜図１０に示すように、板状吸音部材２４４は、排気路２４２の下側面２４７の立体形状の各突出部２４８に沿い、かつ、排気路２４２の水平断面形状と同一の、略平面形状を有している。そして、板状吸音部材２４４は、図８に示すように、突出部２４８に接触させる形で、排気路２４２の下側面２４７に固定される。これにより、各窪み２４６は、閉じられた空間となる。この空間は、共鳴による膜吸音を行うための背面空気層として機能する。
【００６３】
板状吸音部材２４４は、例えば、給気風路部分２３０の板状吸音部材２３１と同一の素材から成り、所定の通音性能および吸音性能を有する。
【００６４】
板状吸音部材２４４が吸音性能は、背面空気層の厚さに依存する。したがって、板状吸音部材２４４と下側面２４７との間の背面空気層の厚さ、すなわち窪み２４６の深さを設計値通りとなるようにすることは重要である。例えば、窪み２４６がより深いほど、より低い周波数帯域で吸音効果を得ることができる。
【００６５】
なお、背面空気層の厚さが一定の場合に比べて、背面空気層の厚さが場所によって異なる場合のほうが、より多くの周波数帯域で吸音効果を得ることができる。したがって、図８に示すように、窪み２４６の深さが場所によって異なることにより、より多くの周波数帯域で吸音効果を得ることが可能となる。背面空気層の厚さに母材層の厚さの１／２を足した長さの４倍の波長の付近の音およびこの音の整数倍の周波数の音に対する吸音率を向上させることができることは、給気風路部分２３０の板状吸音部材２３１と同様である。
【００６６】
板状吸音部材２４４は、更に、図９または図１０に示す複数の突起２４９を有する。突起２４９は、例えば、プレス加工により設けることができる。突起２４９は、例えば、図９に示すように、板状吸音部材２４４の上面の、外部に通じる開口部２４３に近い位置に配置することができる。この場合には、冷却用空気を、外部に排出される際に板状吸音部材２４４から剥離し易くすることができ、流体騒音の発生を抑えることができる。また、突起２４９は、例えば、図１０に示すように、板状吸音部材２４４の上面の、冷却用ファン１０７の吹出側と通じる開口部に近い位置に配置することができる。この場合には、冷却用空気の風速を低い圧力損失で低下させることができ、流体騒音の発生を抑えることができる。
【００６７】
このような構成の排気風路部分２４０は、冷却用空気を伝播する動作音と、冷却用空気自体の流体騒音とを低減することができる。
【００６８】
また、図３〜図５に示す給気風路部分２３０の板状吸音部材２３１と、図６〜図１０に示す排気風路部分２４０の板状吸音部材２４４とは、いずれも、高分子繊維の不織布の片面に高分子フィルムを配置して熱加圧成型することにより、簡単に製作することができる。すなわち、給気風路部分２３０および排気風路部分２４０は、簡単な構成で、内部を通過する冷却用空気に対する吸音を実現することができる。
【００６９】
また、給気風路部分２３０の給気路２３２および排気風路部分２４０の排気路２４２は、いずれも滑らかに屈曲している。したがって、特許文献１記載の通気構造体のように直角に屈曲した風路を採用した場合に比べて、圧力損失を抑えた状態で吸音を行うことができ、かつ、流体騒音の発生を抑えることができる。これにより、動作音が小さい、より低い能力の冷却用ファン１０７を採用することができる。
【００７０】
以下、上述のように構成された酸素濃縮器１０の動作について説明する。
【００７１】
酸素濃縮器１０への電源供給が開始されると、所定のセルフチェックプログラムによって動作環境が整えられる。操作者（患者または介護者）により、筐体１００に設けられた操作部において酸素流量および酸素濃度が指定されると、流量制限オリフィス１２１は、その設定内容に応じて流路の断面積を調整する。
【００７２】
コンプレッサ１０４は、筐体１００の外部から、風路ケース１０１、ヘパフィルタ１０２、および吸気タンク１０３を介して、原料空気を導入し、導入した原料空気を圧縮して圧縮空気を生成する。このとき、ヘパフィルタ１０２は、通過する原料空気から空中浮遊粒子を除去する。
【００７３】
コンプレッサ１０４で生成された圧縮空気は、冷却パイプ１０５を介してマニホールド１０８に送られる。マニホールド１０８は、第１および第２の切替弁１０９ａ、１０９ｂの開閉状態の切替えにより、コンプレッサ１０４から送られた圧縮空気を第１および第２のシーブベッド１１０、１１１を交互に通過させるとともに、第１および第２のシーブベッド１１０、１１１から窒素富化空気を交互に排気させる。第１および第２のシーブベッド１１０、１１１は、ゼオライトによる窒素の吸着と脱着とを交互に繰り返す。この結果、高濃度酸素が第１および第２のシーブベッド１１０、１１１から交互に製品タンク１１２に送られ続け、製品タンク１１２には、高濃度酸素が収容される。なお、ゼオライトは窒素だけでなく水分をも吸着するので、製品タンク１１２に収容される高濃度酸素は、水分がほとんど含まれていない乾燥した状態である。
【００７４】
一方、第１および第２のシーブベッド１１０、１１１は、ゼオライトによる窒素の吸着と脱着との繰り返しの結果、窒素富化空気を、マニホールド１０８を介して、消音器１１５の排気口１１５ａから筐体１００の外部に排出し続ける。窒素富化空気の排気は、第１および第２の切替弁１０９ａ、１０９ｂの開閉切り替えごとに高い圧力で一気に行われる（例えば、１回の排気で数十リットル）。この排気に伴う音は比較的大きいため、消音器１１５により、この音の静音化を図っている。
【００７５】
製品タンク１１２に収容された高濃度酸素は、レギュレータ１１７、止め弁１１８、バクテリアフィルタ１２０、流量制限オリフィス１２１、流量センサ１２３、加湿器１２４、および酸素出口１２５を介して、筐体１００の外部に放出される。
【００７６】
レギュレータ１１７は、製品タンク１１２の直後に設けられた圧力センサ１１６の検出結果に基づいて、製品タンク１１２直後の高濃度酸素の圧力の調整を行う。バクテリアフィルタ１２０は、高濃度酸素を除菌する。流量制限オリフィス１２１は、高濃度酸素の流量を制限する。圧力センサ１２２および流量センサ１２３は、放出される高濃度酸素が設定通りに処理されているか否かをモニタリングする。このモニタリング結果は、メモリ（図示せず）に記録され。加湿器１２４は、酸素出口１２５の直前で、高濃度酸素を加湿し、高濃度酸素に患者が吸引するために最適な水分を与える。
【００７７】
酸素出口１２５から放出される高濃度酸素は、酸素出口１２５に接続されたチューブ（図示せず）およびチューブの他端に接続された酸素マスクや鼻腔カニューラを介して、患者に吸引される。
【００７８】
また、上記の高濃度酸素生成の動作が行われている間、冷却用ファン１０７は、外気を、給気風路部分２３０を通してコンプレッサケース２００の内部に吸引し、冷却用空気として各部を循環させて、排気風路部分２４０を通して筐体１００の外部に排気する。これにより、コンプレッサ１０４、冷却パイプ１０５、マニホールド１０８、および制御に用いられるＣＰＵ等の部品が冷却され、酸素濃縮器１０の耐久性および装置信頼性が向上する。また、給気風路部分２３０および排気風路部分２４０は、上述の通り、コンプレッサ１０４の動作音および冷却用ファン１０７の動作音を吸収する吸音効果を有し、流体騒音を抑える構造となっている。したがって、冷却気の吸気口および排気口からの動作音の漏洩が抑制される。
【００７９】
このように、酸素濃縮器１０は、動作音の漏洩を抑制した状態で、高濃度酸素を患者に継続的に供給することができる。
【００８０】
以上説明したように、本実施の形態によれば、コンプレッサ１０４の冷却用空気を通過させる風路に、板状吸音部材と背面空気層とを設けたので、動作音の漏洩を抑制することができる。
【００８１】
また、板状吸音部材は、高分子繊維から成る母材層と高分子フィルムの膜層とから成るので、特に背面空気層との組み合わせにより、高い吸音効果を発揮することができる。
【００８２】
また、母材層は、高分子繊維不織布を圧縮したものであるため、吸音性能を保持しつつ適度な硬さを得ることができる。
【００８３】
また、膜層は、高分子フィルムを母材層に融着したものであるため、内部摩擦による吸音効果を向上させることができる。更に、冷却用空気の清浄性を保ち、かつ、冷却用空気の摩擦損失を抑えた状態で、より高い吸音性能を得ることができる。
【００８４】
また、吸音材としてポリエステル繊維を用いるので、ウレタンフォ−ム、フェルト、グラスウ−ル等の多孔質材料に比べて、耐久性、作業環境性、およびリサイクル性において優れた吸音部材を提供することができる。
【００８５】
また、排気風路部分の立体形状を利用して板状吸音部材に背面空気層を設定するので、既存の排気風路部分に対する板状吸音部材の追加という軽微な設計変更により、上記吸音効果を得ることができる。また、単体で背面空気層を形成することができる。すなわち、排気風路部分に窪みが存在する場合には、背面空気層を形成するためのスペーサを不要とすることができ、製作コストを抑えることができる。
【００８６】
なお、以上説明した実施の形態では、板状吸音部材と他の部材とを組み合わせることによって風路を形成する例について説明したが、立体形状を有する板状吸音部材のみによって、風路を形成するようにしてもよい。この場合には、複数の板状吸音部材を組み合わせる構成とすることが、立体成型の都合上、好ましい。
【００８７】
また、本発明に係る通気構造体を酸素濃縮器の冷却用空気の風路に適用した例について説明したが、本発明に係る通気構造体の適用対象は、これに限定されるものではない。例えば、酸素濃縮器の原料空気の風路、高濃度酸素の風路に、本発明を適用してもよい。
【００８８】
また、酸素濃縮器以外にも、内部に気体を通過させる医療機器、空調機等の各種電子機器、およびダクトにも、本発明を適用することができる。特に、静音性および安全性が要求される医療用人工呼吸器、ＣＰＡＰ（continuous positive airway pressure）装置等の医療用機器に好適である。但し、風路が大きい場合には、素材の変更、厚さの変更、凹凸加工、補強材の追加等により、強度を高める必要がある。
【図面の簡単な説明】
【００８９】
【図１】本発明の一実施の形態に係る通気構造体が用いられる酸素濃縮器の構成を示す概略図
【図２】本実施の形態に係るコンプレッサおよびコンプレッサケースの構成を示す斜視図
【図３】本実施の形態に係る通気構造体の一例である給気風路部分の構成を示す第１の斜視図
【図４】本実施の形態に係る通気構造体の一例である給気風路部分の構成を示す第２の斜視図
【図５】本実施の形態に係る通気構造体の一例である給気風路部分の構成を示す第３の斜視図
【図６】本実施の形態に係る通気構造体の他の例である排気風路部分の構成を示す斜視図
【図７】本実施の形態に係る排気風路部分を上方から見た平面図
【図８】本実施の形態に係る排気風路部分の断面を示す斜視断面図
【図９】本実施の形態における板状吸音部材の他の例の構成を示す第１の斜視図
【図１０】本実施の形態における板状吸音部材の他の例の構成を示す第２の斜視図
【符号の説明】
【００９０】
１０  酸素濃縮器
１００  筐体
１０１  風路ケース
１０２  ヘパフィルタ
１０３  吸気タンク
１０４  コンプレッサ
１０５  冷却パイプ
１０７  冷却用ファン
１０８  マニホールド
１０９ａ、１０９ｂ  切替弁
１１０、１１１  シーブベッド
１１２  製品タンク
１１３  均圧弁
１１４  パージオリフィス
１１５  消音器
１１５ａ  排気口
１１６  圧力センサ
１１７  レギュレータ
１１８  止め弁
１１９  酸素センサ
１２０  バクテリアフィルタ
１２１  流量制限オリフィス
１２２  圧力センサ
１２３  流量センサ
１２４  加湿器
１２５  酸素出口
２００  コンプレッサケース
２１０  本体部分
２２０  吸気口部分
２３０  給気風路部分
２３１  板状吸音部材
２３２  給気路
２３３  開口部
２３４  縁部
２４０  排気風路部分
２４１  構造体本体
２４２  排気路
２４３  開口部
２４４  板状吸音部材
２４５  仕切板
２４６  窪み
２４７  下側面
２４８  突出部
２４９  突起
【図１】
2010120830.tif 000003
【図２】
2010120830.tif 000004
【図３】
2010120830.tif 000005
【図４】
2010120830.tif 000006
【図５】
2010120830.tif 000007
【図６】
2010120830.tif 000008
【図７】
2010120830.tif 000009
【図８】
2010120830.tif 000010
【図９】
2010120830.tif 000011
【図１０】
2010120830.tif 000012